(57)【要約】【課題】機能拡張用のアクセサリをカメラ本体と同時に携行できるようにしたカメラ、アクセサリ、携行用電子機器を提供する。【解決手段】カメラ本体１の側面には、ストラップ１０が取り付けられる。このストラップ１０は貫通部３４によって第２通信部３１と、これと結合した第１通信部２１を保持している。第１通信部２１はコード２３によってカメラ本体１内の回路と接続状態にあり、第２通信部３１のＰコネクタ３２は外部機器の端子に接続可能である。外部機器に第２通信部３１を接続させた状態で、カメラ本体１と外部機器は、第１通信部２１と第２通信部３１によってワイヤレス通信が可能になる。  【選択図】  図１
2008098882.tif 000002
【特許請求の範囲】
【請求項１】
カメラ本体に携行用のストラップが取り付けられるカメラにおいて、
ストラップを取り付けるための係合部が設けられるカメラ本体と、
このカメラ本体と外部機器とのワイヤレス通信を行う一対の通信手段のうちのカメラ側の通信手段であって、上記カメラ本体の上記係合部の近接した位置に突出するよう取り付けられる第１通信部と、
この第１通信部に装着自在に設けられ、上記第１通信部から分離された状態で外部機器に取り付けられて、上記一対の通信手段のうちの外部機器側の通信手段として機能する第２通信部と、
一端が上記係合部に設けられ、その途中の部分で第２通信部に取り付けられるストラップと、
を具備することを特徴とするカメラ。
【請求項２】
上記第２通信部は、上記ワイヤレス通信時に外部機器に装着されるコネクタを先端に有し、
上記コネクタの端子は、上記第２通信部が上記第１送信部に装着された状態では、上記第１通信部の内部に収納されることを特徴とする請求項１に記載のカメラ。
【請求項３】
上記第２通信部は、上記ストラップが緩挿される緩挿部を有することを特徴とする請求項１に記載のカメラ。
【請求項４】
上記第１通信部は、カメラ本体の厚さと同程度の長さで、外部機器に接続されるコネクタが先端に設けられた通信用ケーブルを有することを特徴とする請求項１に記載のカメラ。
【請求項５】
上記ストラップは、その途中の部分で上記第２通信部に固定して取り付けられ、
上記ストラップの中の上記第２通信部と上記係合部の間の長さが、上記ストラップの携行用の部分に引張力が加わった場合に、その力が上記通信用ケーブルに加わらず、専らこの部分に加わるような長さに設定されていることを特徴とする請求項４に記載のカメラ。
【請求項６】
カメラ本体に携行用のストラップが取り付けられ、リモコン受光部を備えるカメラにおいて、
カメラ本体に設けられるストラップ取り付け用の係合部と、
上記カメラ本体の上記係合部に近接した位置に取り付けられ、上記カメラ本体の厚さと同程度の長さで、外部機器への接続用のコネクタが一端に設けられる通信用のケーブルと、
上記コネクタの先端を保護するように上記コネクタに装着自在に取り付けられ、カメラを遠隔操作するためのリモコン装置と、
一端が上記係合部に取り付けられ、その途中の部分で上記リモコン装置に取り付けられるストラップと、
を具備することを特徴とするカメラ。
【請求項７】
上記ケーブルの上記コネクタには、上記リモコン装置からの光信号を受光する受光部が設けられ、
上記リモコン装置が上記コネクタに装着された状態では、上記コネクタの受光部は上記リモコン装置の発光部からの上記光信号を受光し、ケーブルレリーズとして機能することを特徴とする請求項６に記載のカメラ。
【請求項８】
カメラに取り付けられるアクセサリにおいて、
カメラ本体と外部機器とのワイヤレス通信を行う一対の通信手段のうちのカメラ側の通信手段であって、上記カメラ本体のストラップ取り付け用係合部の近接した位置に突出するよう取り付けられる第１通信部と、
この第１通信部に装着自在に設けられ、上記第１通信部から分離された状態で外部機器に取り付けられて、上記一対の通信手段のうちの外部機器側の通信手段として機能する第２通信部と、
一端が上記係合部に設けられ、その途中の部分で第２通信部に取り付けられるストラップと、
を具備することを特徴とするアクセサリ。
【請求項９】
機器本体に携行用のストラップが取り付けられる携帯型電子機器において、
ストラップを取り付けるための係合部が設けられる機器本体と、
この機器本体と外部機器とのワイヤレス通信を行う一対の通信手段のうちの機器側の通信手段であって、上記機器本体の上記係合部の近接した位置に突出するよう取り付けられる第１通信部と、
この第１通信部に装着自在に設けられ、上記第１通信部から分離された状態で外部機器に取り付けられて、上記一対の通信手段のうちの外部機器側の通信手段として機能する第２通信部と、
一端が上記係合部に設けられ、その途中の部分で第２通信部に取り付けられるストラップと、
を具備することを特徴とする携帯型電子機器。
【発明の詳細な説明】
【技術分野】
【０００１】
本発明は、アクセサリを有するカメラ等の携帯型電子機器と、これに設けられるアクセサリに関する。
【背景技術】
【０００２】
最近のデジタルカメラやデジタルレコーダ等の携帯型電子機器は、パーソナルコンピュータ（Personal Computer、以下「ＰＣ」と称す）とデータの送受信するための通信機能を備えたるものがある。例えば、デジタルカメラにデータ通信手段を設け、撮影した画像データをＰＣやプリンタに転送できるものがある。このようなデジタルカメラとＰＣの組み合わせでは、ＰＣが受信した画像データをハードディスクに保存することができ、またＰＣからネットワークを介して外部のサイトに送信することもできる。さらに、プリンタとの組み合わせでは、プリンタは受信した画像データを印刷することができる。
【０００３】
画像データを送信するための通信手段としては、ケーブルを介して行うワイヤード方式の他に、最近は光通信や無線通信によるワイヤレス方式が登場してきている。これら２方式の内、ワイヤード方式は、送受信デバイスが必要なく、また送信先のＰＣやプリンタにおいてもコスト等の負担が殆どかからないという利点があり、現時点では、コストと安定性の観点から、ワイヤード方式が一般的である。特に、ＵＳＢ（Universal Serial Bus）規格を利用したワイヤード方式がポピュラーとなっている。
【０００４】
このようにワイヤード方式が一般的となっているが、ワイヤード方式はケーブルなしでは送受信することができない。このため、家にいるときでも専用ケーブルを探し回ることがしばしばあり、また、外出先で通信を行う場合には、専用ケーブルを持ち歩かなければならないという不便さがつきまとっている。
【０００５】
そこで、通信用のケーブルをカメラのストラップ代わりして、常にカメラに付属させるようにし、ケーブルをわざわざ持ち運ぶ手間を省くようにしたカメラが提案されている（特許文献１）。特許文献１には、カメラ本体の側面にポート（ジャック）を２つ設け、このポートに接続される２つのコネクタを両端に備えたケーブルが開示されている。このケーブル両端のコネクタをカメラ本体に接続した状態では、ケーブルはストラップとして機能し、また、ケーブルの一端のコネクタをカメラ本体のポートに接続し、他端のコネクタをＰＣに接続した状態では、ケーブルは通信用ケーブルとしての機能を果たす。
【特許文献１】特開２００１−２５７９１９号公報
【０００６】
また、カメラの付属機能をアクセサリとし、カメラ本体自身を小型化すると共にコスト増加を抑えることは行われており、このアクセサリの取り付け先としてストラップとする提案がある。例えば、アクセサリとしてのリモコン装置をストラップに取り付けたカメラが提案されている（特許文献２）。また、アクセサリとしての電池をカメラのストラップに取り付ける提案もある（特許文献３）。この特許文献３には、電池を収納する収納部と、この電池の電力をカメラに供給するケーブルをストラップに設けることが開示されている。
【特許文献２】特開平０８−２０１９１１号公報
【特許文献３】特開２００３−００５２７１号公報
【発明の開示】
【発明が解決しようとする課題】
【０００７】
前述の通信手段の２方式のうち、ワイヤード方式は通信用のケーブルを持ち歩く必要があり、しかも、カメラ本体と外部機器との間で通信を行う際には、ケーブルを接続しなければならず、その際ケーブルが邪魔となることがしばしばある。そこで、ワイヤレス方式を採用することにより、これらの不具合を解消することができるが、そのためには、ワイヤレス通信機能を、プリンタやＰＣ等の外部機器とカメラに内蔵していることが前提となる。しかしながら、ワイヤレス通信機能をカメラと外部機器の両方に備えなければならず、カメラ自体が大型化し、またコストも増加してしまう。そこで、通信機能を内蔵せずに、アクセサリ形式とし、例えば別売とし、必要なときにユーザが購入し、必要なときに持ち歩くようにすることが考えられる。ただ、このようにすると、通信機能のためのアクセサリをカメラ本体とは別々に持ち歩くことになり、紛失のおそれがある。
【０００８】
本発明は、このような事情を鑑みてなされたものであり、機能拡張用のアクセサリをカメラ本体と同時に携行できるようにしたカメラ、アクセサリ、携行用電子機器を提供することを目的とする。
【課題を解決するための手段】
【０００９】
上記目的を達成するため第１の発明に係わるカメラは、カメラ本体に携行用のストラップが取り付けられるカメラにおいて、ストラップを取り付けるための係合部が設けられるカメラ本体と、このカメラ本体と外部機器とのワイヤレス通信を行う一対の通信手段のうちのカメラ側の通信手段であって、上記カメラ本体の上記係合部の近接した位置に突出するよう取り付けられる第１通信部と、この第１通信部に装着自在に設けられ、上記第１通信部から分離された状態で外部機器に取り付けられて、上記一対の通信手段のうちの外部機器側の通信手段として機能する第２通信部と、一端が上記係合部に設けられ、その途中の部分で第２通信部に取り付けられるストラップを具備する。
【００１０】
第２の発明に係わるカメラは、上記第１の発明において、上記第２通信部は、上記ワイヤレス通信時に外部機器に装着されるコネクタを先端に有し、上記コネクタの端子は、上記第２通信部が上記第１送信部に装着された状態では、上記第１通信部の内部に収納される。
また、第３の発明に係わるカメラは、上記第１の発明において、上記第２通信部は、上記ストラップが緩挿される緩挿部を有する。
さらに、第４の発明に係わるカメラは、上記第１の発明において、上記第１通信部は、カメラ本体の厚さと同程度の長さで、外部機器に接続されるコネクタが先端に設けられた通信用ケーブルを有する。
さらに、第５の発明に係わるカメラは、上記第４の発明において、上記ストラップは、その途中の部分で上記第２通信部に固定して取り付けられ、上記ストラップの中の上記第２通信部と上記係合部の間の長さが、上記ストラップの携行用の部分に引張力が加わった場合に、その力が上記通信用ケーブルに加わらず、専らこの部分に加わるような長さに設定されている。
【００１１】
上記目的を達成するため第６の発明に係わるカメラは、カメラ本体に携行用のストラップが取り付けられ、リモコン受光部を備えるカメラにおいて、カメラ本体に設けられるストラップ取り付け用の係合部と、上記カメラ本体の上記係合部に近接した位置に取り付けられ、上記カメラ本体の幅より短い長さで、外部機器への接続用のコネクタが一端に設けられる通信用のケーブルと、上記コネクタの先端を保護するように上記コネクタに装着自在に取り付けられ、カメラを遠隔操作するためのリモコン装置と、一端が上記係合部に取り付けられ、その途中の部分で上記リモコン装置に取り付けられるストラップを具備する。
【００１２】
第７の発明に係わるカメラは、上記第６の発明において、上記ケーブルの上記コネクタには、上記リモコン装置からの光信号を受光する受光部が設けられ、上記リモコン装置が上記コネクタに装着された状態では、上記コネクタの受光部は上記リモコン装置の発光部からの上記光信号を受光し、ケーブルレリーズとして機能する。
【００１３】
上記目的を達成するため第８の発明に係わるアクセサリは、カメラに取り付けられるアクセサリにおいて、カメラ本体と外部機器とのワイヤレス通信を行う一対の通信手段のうちのカメラ側の通信手段であって、上記カメラ本体のストラップ取り付け用係合部の近接した位置に突出するよう取り付けられる第１通信部と、この第１通信部に装着自在に設けられ、上記第１通信部から分離された状態で外部機器に取り付けられて、上記一対の通信手段のうちの外部機器側の通信手段として機能する第２通信部と、一端が上記係合部に設けられ、その途中の部分で第２通信部に取り付けられるストラップを具備する。
【００１４】
上記目的を達成するため第９の発明に係わる携帯型電子機器は、機器本体に携行用のストラップが取り付けられる携行型電子機器において、ストラップを取り付けるための係合部が設けられる機器本体と、この機器本体と外部機器とのワイヤレス通信を行う一対の通信手段のうちの機器側の通信手段であって、上記機器本体の上記係合部の近接した位置に突出するよう取り付けられる第１通信部と、この第１通信部に装着自在に設けられ、上記第１通信部から分離された状態で外部機器に取り付けられて、上記一対の通信手段のうちの外部機器側の通信手段として機能する第２通信部と、一端が上記係合部に設けられ、その途中の部分で第２通信部に取り付けられるストラップを具備する。
【発明の効果】
【００１５】
本発明によれば、機能拡張用のアクセサリをカメラ本体と同時に携行できるようにしたカメラ、アクセサリ、携帯型電子機器を提供することができる。
【発明を実施するための最良の形態】
【００１６】
以下、図面に従って本発明を適用したデジタルカメラを用いて好ましい実施形態について説明する。図１および図２は本発明の第１実施形態に係るストラップ付きデジタルカメラの外観図であり、図１（Ａ）はストラップを装着した状態におけるデジタルカメラの外観斜視図であり、（Ｂ）はストラップ、第１及び第２通信部の拡大図であり、（Ｃ）は第２通信部の背面からみた斜視図である。図２はストラップを外した状態でのカメラ本体の斜視図である。カメラ本体１の正面部の中央右よりには撮影レンズ２が配置され、撮影レンズ２の左斜め上にはストロボ照射用のストロボ窓４が設けられている。また、カメラ本体１の上面部の左側には、撮影動作を指示するためのレリーズ釦３が配置されている。
【００１７】
カメラ本体１の左側面部には、第１通信部２１のＣコネクタ２２と接続するためのレセプタクル５と、サブストラップ１２と係合するための係合部６が設けられている（図２参照）。Ｃコネクタ２２は複数の接点からなり、カメラ用の小型タイプが望ましいが、ＰＣ用に一般に用いられるＵＳＢ端子と接続可能なレセプタクルでも良い。また、係合部６はひも状のサブストラップ６を取り付けるためのバーと溝から構成される。
【００１８】
Ｃコネクタ２２はコード２３を介して第１通信部２１の第１通信部本体２２と結合している。コード２３の内部には、導線が配線されており、その外側はビニル樹脂等によって覆われている。またコード２３の長さは、カメラ本体１の側部の厚さと同等かそれよりは短い長さとしている。コード２３の両端は、Ｃコネクタコネクタ２２と第１通信部本体２４に固着されている。
【００１９】
第１通信部本体２２の内部には、カメラ本体から信号を外部機器に、また外部機器から信号をカメラ本体に、無線ＬＡＮ、ブルートゥース（Bluetooth）、赤外通信等のワイヤレス無線通信によって通信を行うための通信機能が備わっている。第１通信部２１のコード２３と反対側には、第２通信部３１のＰコネクタ３２と接続するための収納部２５が設けられている。そして、この収納部２５の近傍には、ロック部２６が一体に設けられている。収納部２５にＰコネクタ３２が装着され、接続された状態で、ロック部２６はロック溝３３と係合し、Ｐコネクタ３２の接続が容易に外れないようにロック機構が作動する。
【００２０】
第２通信部３１のＰコネクタ３２は、ＰＣやプリンタ等の外部機器の接続端子に接続可能であり、ＵＳＢ規格等に従って形状である。第２通信部３１の内部には、第１通信部２１と送受信を行うための通信回路が内蔵されている。また、第２通信部３１の本体部には、前述したように、第１通信部２１のロック部２６と係合するためのロック溝３３が設けられており、反対側には貫通部３４が設けられている。貫通部３４は、図１（Ｃ）に示すように、Ｕ字形状をしており、その内側にメインストラップ１１が緩挿する。この構成により、第１及び第２通信部２１、３１が、ストラップ１０と一体化し、カメラ本体１と一緒に携行することができる。
【００２１】
貫通部３４に緩挿されるメインストラップ１１は、ハンドストラップ又はネックストラップとして機能し、ストラップとして用いられる通常の材料、すなわち、繊維、柔軟性のある合成樹脂、皮革等、柔軟性のある肌触りの良いから構成される。メインストラップ１１はループ形状しており、１本のひもが係止部１３で係止されている。またサブストラップ１２もメインストラップ１１と同様の材料で構成され、１本のひもをループに係止部１３で係止されている。係止部１３は、第２通信部３１と一体にモールド製で構成され、サブストラップ１２とメインストラップ１１を中継する機能を有し、両ストラップが埋め込まれている。また、第２通信部３１の移動をストップする機能も有している。
【００２２】
なお、サブストラップ１２の方が細いひもで構成されているが、係合部６に取り付け易くするためであり、本実施形態においては、係合部６の形状を変更することにより、メインストラップ１１と同程度の太さに代えることも可能である。係止部１３は、貫通部３４を通り抜けられない程度の大きさにすることにより、サブストラップ１２が貫通部３４を自由に通り抜けることを防止することができるが、貫通部３４を通り抜けられる程度の小さな係合部としても勿論構わない。
【００２３】
また、本実施形態においては、メインストラップ１１は、貫通部３４を緩挿しているが、これに限らず、図３に示す変形例のように、サブストラップ１２とメインストラップ１１を、それぞれ第２通信部３１に固定するようにしても、勿論構わない。すなわち、サブストラップ１２を、直接、第２通信部３１の背面に固着し、メインストラップ１１も第２通信部３１の側面に固着しても良い。この場合には、図４に示すように、第１通信部２１および第２通信部３１がメインストラップ１１に沿って自由に移動することがなくなる。
【００２４】
次に、この第１実施形態のカメラ１とＰＣ６０からなるシステムブロック図について図５を用いて説明する。なお、このブロック図は、第２通信部３１が、第１通信部２１から外されて、ＰＣ６０に取り付けられた状態のブロック図である。カメラ本体１の内部には、撮影レンズ１を介して受光した被写体像を被写体像信号に変換する撮像部５０と、カメラ本体１内の制御を行うＣＰＵ５１と、被写体像信号に基づく画像データを記録するメモリ部５２と、カメラ本体外と通信するための入出力部５３とがバスを介して接続されている。入出力部５３はレセプタクル５に接続されており、レセプタクル５はＣコネクタ２２と接続され、コード２３を介して第１通信部２１に接続している。
【００２５】
第１通信部２１の内部には、変調復調部２１ａ、受信・発振部２１ｂとアンテナ２１ｃが設けられている。コード２３に接続された変調復調部２１ａは、送信する場合には送信信号を変調し、受信する場合には受信信号を復調する。変調復調部２１ａに接続された受信・発信部２１ｂは、第２通信部３１へ発信信号の生成、また第２通信部３１からの受信信号を増幅するための回路である。この受信・発信部２１ｂに接続されたアンテナ２１ｃは、第２通信部３１に向けて信号を送信し、また第２通信部３１からの信号を受信する。
【００２６】
第１通信部２１と信号の送受信を行う第２通信部３１は、受信・発信部３１ｂ、変調復調部３１ａとアンテナ３１ｃとから構成される。アンテナ３１ｃは、アンテナ２１ｃと同様に、第１通信部２１からの無線信号等を受信し、または送信する。アンテナ３１ｃに接続された受信・発信部３１ｂは送信する場合の発信信号の生成と、受信する場合の受信信号の増幅を行う。受信発信部３１ｂに接続された変調復調部３１ａは、第１通信部２１へ発信する送信信号を変調し、また第１通信部２１からの受信信号を復調する。変調復調部３１ａはＰコネクタ３２を介して、ＰＣ６０等の外部機器と接続可能である。
【００２７】
以上の如く、本発明の第１実施形態は構成されているので、カメラ本体１を持ち運ぶ際（携帯時）には、ストラップ１０はハンドストラップとして機能し、メインストラップ１１のひも状部分を手で把持することができる。このとき、サブストラップ１２によってカメラ本体１とメインストラップ１１はしっかりと結合されているので、ストラップ１０からカメラ本体１が落下してしまうことはない。また、Ｐコネクタ３２は収納部２５に装着され、ロック溝３３とロック部２６によってロックされているので、第１通信部２１と第２通信部２２は容易に外れないように結合している。そして、ストラップ１０と、第１及び第２通信部２１、３１は一緒に携帯されるようになっている。カメラ本体１による撮影時にもこれらのストラップ１０と第１通信部２１、第２通信部３１は一緒になっている。
【００２８】
また、カメラ本体１のメモリ部５２に記憶された画像データをＰＣ６０やプリンタ等の外部機器と送受信する場合には、ユーザーは第１通信部２１と第２通信部３１との結合を解除し、すなわち、ロック溝３３に係合していたロック部２６を離脱させて、第１通信部２１と第２通信部３１とを分離する。そして、第２通信部３１のＰコネクタ３２をＰＣ６０等の外部機器のＵＳＢ等の接続端子に接続し、カメラ本体１と外部機器の間で送受信等の通信を行い、画像データをＰＣ６０に転送し、またプリンタに画像をプリント出力させる。なお、カメラ本体１と外部機器との距離が離れている場合には、サブストラップ１２をカメラ本体１から取り外せばよい。
【００２９】
このように、本実施形態においては、ワイヤレス送受信のためのワイヤレス通信装置をカメラ本体ではなく、カメラ本体の外側に設けるようにしたので、カメラ本体を小型化することができ、また本体自信のコスト増加を防止することができる。通信機能が必要なユーザはこれらの通信機能と有したアクセサリを購入すればよい。また、第１及び第２通信部２１，３１をコード経由で取り付けるようにしたので、アクセサリを直接カメラ本体側面に取り付けるのに比べて、グリップ性を損なうおそれも小さい。さらに、ストラップ１０に第１および第２通信部２１、３１を取り付けるようにしたので、通信機能のためのアクセサリを紛失するおそれも少ない。
【００３０】
なお、本実施形態においては、サブストラップ１２を介してメインストラップ１１をカメラ本体１に結合させるように構成したが、これに限らず、例えば、メインストラップ１１を直接、カメラ本体１と結合させても良く、また、サブストラップ１１を無くして、代わりにコード２３のみでカメラ本体１と結合させるようにしてもよい。後者の場合には、レセプタクル６とＣコネクタ２２が容易に外れないようにロック機能を設けることが望ましい。
【００３１】
次に、本発明の第２実施形態について図６および図７を用いて説明する。第１実施形態においては、カメラ本体１に結合されるアクセサリが、ワイヤレス通信装置であったが、第２実施形態においては、ケーブルレリーズ機能を有するリモコン装置である。第１実施形態と同一の部材には、同一の符号を付し、詳しい説明は省略し、相違点を中心に説明する。
【００３２】
カメラ本体１００の正面には、リモコン装置１３０からのリモコン信号としての赤外光を受光する受光窓１０１が設けられている。カメラ本体１００の側面にはレセプタクル１０５（図７）と、係合部１０６が、第１実施形態と同様に設けられている。レセプタクル１０５には、ケーブルユニット１２０のＣコネクタ１２２が嵌合し、接続している。このＣコネクタ１２２は、第１実施形態におけるＣコネクタ２２と同様に、カメラ用の小型の接続端子が望ましいが、ＰＣ用に一般に用いられるＵＳＢ端子と接続可能なレセプタクルでも良い。
【００３３】
Ｃコネクタ１２２（図６（Ｂ）参照）は、ケーブル１２３を介してケーブルユニット１２０の本体と結合している。コード１２３の内部には、第１実施形態と同様に、導線が配線されており、その外側はビニル樹脂等によって覆われている。またケーブル１２３の長さは、カメラ本体１００の側部の厚さと同等かそれよりは短い長さとしている。ケーブル１２３の両端は、Ｃコネクタコネクタ１２２とケーブルユニット１２０の本体に固着されている。
【００３４】
ケーブルユニット１２０の内部には、ケーブルレリーズとして機能させるために、リモコン装置１３０からの光信号を受光するための受光部１２４が内蔵されている。またケーブルユニット１２０には、ＰＣ等の外部機器と接続するための接続端子としてのＰコネクタ１２１が設けられている。本実施形態においては、Ｐコネクタは、一般的なＰＣで採用されているＵＳＢ規格で構成されているので、ケーブルユニット１２０は、短いＵＳＢケーブルとして機能する。
【００３５】
ケーブルユニット１２０のＰコネクタ１２１は、リモコン装置１３０の収納部１３３に収納され、リモコン装置１３０に接続される（図６（Ｃ）参照）。収納部１３３の近傍であって、ケーブルユニット１２０と装着時には、受光部１２４と対向する位置に、発光部１３４が設けられている。この発光部１３４はカメラ本体１００にレリーズ信号等の制御信号を赤外光で送信するためのものである。リモコン装置１３０の外部には、レリーズ釦３と同様の機能を果たすレリーズ釦１３１が配置され、図示しないカメラ本体のズーム釦と同様の機能を果たすズーム釦１３２が配置されている。ズーム釦１３２は内部にシーソースイッチ等が設けられ、撮影レンズ２の焦点距離の変更指示を出すための操作釦である。
【００３６】
リモコン装置１３０の背面には、第１実施形態における貫通部３４と同様な貫通部１３５が設けられている（図６（Ｄ）参照）。この貫通部１３５には、メインストラップ１１１が緩挿しており、またメインストラップ１１１は、係止部１１３においてサブストラップ１１２と共に係止されている。メインストラップ１１１、サブストラップ１１２、係止部１１３および貫通部１３５の構成は、第１実施形態と同様であるので、詳細な説明は省略する。
【００３７】
次に、この第２実施形態のカメラブロック図について図７を用いて説明する。カメラ本体１００の内部には、撮像部１５０、ＣＰＵ１５１、メモリ部１５２、入出力部１５３、リモコン受光部１５４が設けられており、リモコン受光部１５４以外は第１実施形態と同様であるので、詳しい説明は省略する。リモコン受光部１５４は、ＣＰＵ１５１に接続され、リモコン装置１３０の発光部１３４から赤外光で送信されるリモコン信号を光電変換し、ＣＰＵ１５１に出力する。
【００３８】
入出力部１５３はレセプタクル１０５に接続されており、このレセプタクル１０５は前述したようにＣコネクタ１２２と接続可能である。Ｃコネクタ１２２とケーブル１３２を介して接続されるケーブルユニット１２０の受光ユニット１２６の内部には、リモコン装置１３０の発光部１３４からの赤外信号光を受光し、光電変換する受光部１２４と、この受光部１２４の出力を受け、復調し、操作信号としてカメラ１００へ入力される信号に変換して、Ｃコネクタ１２２に出力する変換部１２７を有している。
【００３９】
ケーブルユニット１２０のＰコネクタ１２１はＵＳＢ端子１２１ａを介してリモコン装置１３０と接続されている。なお、このＵＳＢ端子１２１ａとＣコネクタ１２２は、導線で接続されている。リモコン装置１３０の内部には、レリーズ釦１３１やズーム釦１３２の操作に応じて操作信号を出力する操作部と、この操作部に接続され、操作状態に応じて赤外光でリモコン信号を投光するための発光部１３４が設けられている。
【００４０】
また、ケーブルユニット１２０のＵＳＢ端子１２１ａは、リモコン装置１３０が外された状態で、外部機器としてのＰＣ２００のＵＳＢ端子２００ａに接続可能である。すなわち、カメラ本体１００のＣＰＵ１５１等の内部回路は、レセプタクル１０５、ケーブルユニット１２０内のＰコネクタ１２１を介してＵＳＢ端子１２１ａでＰＣ２００と接続することができる。
【００４１】
以上の如く、本発明の第２実施形態は構成されているので、カメラ本体１００を持ち運ぶ際には、メインストラップ１１１をハンドストラップとして把持することができる。また、このときにはケーブルユニット１２０は一端をＣコネクタ１２２によってカメラ本体と結合しており、また他端はＰコネクタ１２１を介してリモコン装置１３０と一体化し、メインストラップ１１１に保持されている。
【００４２】
また、撮影時にリモコン装置１３０を使用する場合には、サブストラップ１１２をカメラ本体１００の係合部１０６から外し、ストラップ１１０ごとリモコン装置１３０を取り外す。この状態で、リモコン装置１３０をカメラ本体１００に向け、レリーズ釦１３１を操作すれば、発光部１３４から赤外光のリモコン信号が投射され、このリモコン信号を受光したカメラ本体のリモコン受光部１５４はリモコン信号をＣＰＵ１５１に送り、レリーズ動作を行う。
【００４３】
またケーブルレリーズ動作は、サブストラップ１１２をカメラ本体１００から取り外さないままで行われる。レリーズ釦１３１が操作されると、発光部１３４から赤外光のリモコン信号が、ケーブルユニット１２０の受光部１２４に投射され、受光部１２４はリモコン信号を変換部１２７に送り、変換部１２７はリモコン信号を操作信号に変換して、これをＣコネクタ１２２、レセプタクル１０５、入出力部１５３を介してＣＰＵ１５１に送り、レリーズ動作が行われる。ズーミング動作は、リモコン時またはケーブルレリーズ時においても、ズーム釦１３２の操作状態を、レリーズ動作時と同様にして、カメラ本体に送り、カメラ本体１００はズーミング動作を行う。
【００４４】
次に、カメラ本体１００のメモリ部１５２に記憶された画像データを、ＰＣ２００等の外部機器に送信する場合には、ユーザーはケーブルユニット１２０のＵＳＢ端子１２１ａをＰＣ２００のＵＳＢ端子２００ａに接続する。これによってメモリ部１５２の画像データはレセプタクル１０５、Ｃコネクタ１２２、ＵＳＢ端子１２１ａを介して、ＵＳＢ端子２００ａからＰＣ２００に送信される。なお、ＰＣ２００から逆のルートによってカメラ本体１００にアクセスすることもできる。
【００４５】
このように、本実施形態においては、リモコン装置１３０をケーブルユニット１２０から離脱させリモコン装置を単独で使用すると、ワイヤレスリモコンとなり、また、リモコン装置１３０を、ケーブルユニット１２０を介してカメラ本体１００と接続させた状態で使用すると、ケーブルレリーズとなる。このため、１つのアクセサリでワイヤレスリモコンとケーブルレリーズの両方の機能を果たすことができ、携帯性が向上する。
【００４６】
Ｃコネクタ１２２を介して常時カメラ本体１００と接続状態にあるケーブルユニット１２０は、ＰＣ２００やプリンタ等の外部機器に接続することができる。このため外部機器との接続のためのケーブルを、必要なときに直ぐに使用することができ、ケーブルを探し回ることがなくなり、便利である。
【００４７】
このように、本実施形態においては、ワイヤレスリモコン装置、ケーブルレリーズ装置、外部機器接続用のケーブルおよびハンドストラップとなるストラップを同時に携帯することができ、これが一体となっているので紛失するおそれがない。また、これらをカメラアクセサリとしたことから、カメラ自体が大型化することもなく、またコスト増加することがない。
【００４８】
なお、本実施形態においては、ケーブルユニット１２０の内部には、受光ユニット１２６を設け、リモコン装置１３０からの赤外光のリモコン信号を受光し光電変換して、Ｃコネクタ１２２、レセプタクル１０５を介してＣＰＵ１５１に伝達するようにしているが、これに限らず、例えば、リモコン装置１３０の操作部の信号を、発光部１３４を介さずに、ケーブルユニット１２０を通してカメラ本体１００に送るようにしても良い。すなわち、操作部１３１、１３２からの信号を、Ｃコネクタ１２２に直接送るようにする。この場合には、ケーブルユニット１２０内の受光ユニット１２６を省略することができ、小型化、低コストになる。
【００４９】
また、例えば、メインストラップ１１１を直接、カメラ本体１００に結合させても良く、また、サブストラップ１１２を無くして、代わりにケーブル１２３のみでカメラ本体１と結合させるようにしてもよい。後者の場合には、レセプタクル１０５とＣコネクタ１２２が容易に外れないようにロック機能を設けることが望ましい。
【００５０】
本発明の実施形態の説明にあたっては、デジタルカメラを例に挙げたが、デジタルカメラとしては、デジタル一眼レフカメラや携帯電話等に内蔵されるデジタルカメラ等の種々のデジタルカメラが含まれる。また、本発明はデジタルカメラに限らず、デジタル音声音楽レコーダや、デジタル音楽プレーヤー、画像再生機等の携帯型電子機器にも適用できることは勿論である。
【図面の簡単な説明】
【００５１】
【図１】本発明の第１実施形態に係るデジタルカメラの外観斜視図であり、（Ａ）はストラップを取り付けた状態の外観斜視図であり、（Ｂ）は第１通信部と第２通信部を離脱させた状態の要部斜視図であり、（Ｃ）は第２通信部の背面斜視図である。
【図２】本発明の第１実施形態に係るデジタルカメラにおいて、ストラップを外した状態を示す外観斜視図である。
【図３】本発明の第１実施形態に係るデジタルカメラの変形例を示す図であって、（Ａ）はストラップを取り付けた状態の外観斜視図であり、（Ｂ）は第２通信部を正面から見た斜視図であり、（Ｃ）は第２通信部の背面斜視図である。
【図４】本発明の第１実施形態に係るデジタルカメラの変形例の使用状態を示す図である。
【図５】本発明の第１実施形態に係るデジタルカメラの電気回路の構成を示すブロック図である。
【図６】本発明の第２実施形態に係るデジタルカメラを示す図であって、（Ａ）はストラップを取り付けた状態の外観斜視図であり、（Ｂ）は第１通信部を示す斜視図であり、（Ｃ）はリモコン装置とストラップを示す斜視図であり、（Ｄ）はリモコン装置を背面側から見た斜視図である。
【図７】本発明の第２実施形態に係るデジタルカメラの電気回路の構成を示すブロック図である。
【符号の説明】
【００５２】
１・・・カメラ本体、２・・・撮影レンズ、３・・・レリーズ釦、４・・・ストロボ窓、５・・・レセプタクル、６・・・係合部、１０・・・ストラップ、１１・・・メインストラップ、１２・・・サブストラップ、１３・・・係止部、２１・・・第１通信部、２１ａ・・・変調復調部、２１ｂ・・・受信・発信部、２１ｃ・・・アンテナ、２２・・・Ｃコネクタ、２３・・・コード、２４・・・第１通信部本体、２５・・・収納部、２６・・・ロック部、３１・・・第１通信部、３２・・・Ｐコネクタ、３３・・・ロック溝、３４・・・貫通部、５０・・・撮像部、５１・・・ＣＰＵ、５２・・・メモリ部、５３・・・入出力部、１００・・・カメラ本体、１０５・・・レセプタクル、１０６・・・係合部、１１０・・・ストラップ、１１１・・・メインストラップ、１１２・・・サブストラップ、１１３・・・係止部、１２０・・・ケーブルユニット、１２１・・・Ｐコネクタ、１２１ａ・・・ＵＳＢ端子、１２２・・・Ｃコネクタ、１２３・・・ケーブル、１２６・・・受光ユニット、１３０・・・リモコン装置、１３１・・・レリーズ釦、１３２・・・ズーム釦、１３３・・・収納部、１３４・・・発光部、１３５・・・貫通部、１５０・・・撮像部、１５１・・・ＣＰＵ、１５２・・・メモリ部、１５３・・・入出力部、１５４・・・リモコン受光部、２００・・・ＰＣ、２００ａ・・・ＵＳＢ端子
【図１】
2008098882.tif 000003
【図２】
2008098882.tif 000004
【図３】
2008098882.tif 000005
【図４】
2008098882.tif 000006
【図５】
2008098882.tif 000007
【図６】
2008098882.tif 000008
【図７】
2008098882.tif 000009